(57)【要約】      （修正有）【課題】積載ユニットがコネクタ手段によりカートフレームユニットに取外し可能に連結されている手押し車を提供する。【解決手段】カートフレームユニット２と、コネクタ手段４により前記カートフレームユニットに取外し可能に連結されている積載ユニット３とを備えて手押し車を構成する。前記積載ユニットには、揺動グリップ３１が、横倒れ位置と垂直位置との間に切り替えることができるように回動可能に取り付ける。更に、前記コネクタ手段は、前記揺動グリップの回動に連動し、前記揺動グリップが前記横倒れ位置に到達すると前記積載ユニットを前記カートフレームユニットに係止し、前記揺動グリップが前記垂直位置に到達すると前記係止を解除することができるように配置構成する。【選択図】図２
0003167740.tif 000002
【実用新案登録請求の範囲】
【請求項１】
カートフレームユニットと、コネクタ手段により前記カートフレームユニットに取外し可能に連結されている少なくとも１つの積載ユニットとを有している手押し車であって、
前記コネクタ手段は、前記積載ユニットの数に応じて、各積載ユニットに２つずつ固定されている第１のコネクタと、前記積載ユニットの数に応じて、前記カートフレームユニットに少なくとも２つ取り付けられている第２のコネクタとを備えており、各前記第１のコネクタはそれぞれ１つの前記第２のコネクタと分離可能に結合しており、
各前記第１のコネクタは、前記積載ユニットに固定されている固定ユニットと、前記固定ユニットに回動可能に枢接されているレバーと、前記レバーと前記固定ユニットとの枢接位置から突出するように形成されている挿入ユニットとを備えており、
前記挿入ユニットには、その先端から前記枢接位置に向いて延伸し、且つ前記レバーの回動に応じて係止状態と解放状態との間に切り替えられることができる係止アームと、該係止アームに形成されている係止突起とが配置構成されており、
各前記第２のコネクタには、前記挿入ユニットを受け入れている収容空間と、前記係止アームに形成された前記係止突起を受け入れて係止することができる係止孔とを有する本体部が構成されていることを特徴とする手押し車。
【請求項２】
前記レバーには揺動グリップが固定されており、該揺動グリップは前記レバーの前記積載ユニットに対する回動により、横倒れ位置と垂直位置との間に切り替えることができ、
前記係止アームは前記レバーと前記揺動グリップの回動に応じて、前記揺動グリップが前記横倒れ位置に到達すると前記係止状態に切り替えられ、そして前記揺動グリップが前記垂直位置に到達すると前記解放状態に切り替えられるように配置構成されていることを特徴とする請求項１に記載の手押し車。
【請求項３】
前記枢接位置の近くには、前記固定ユニットに固定されている制限ブロックと、前記レバーと共に回動できるように取り付けられていると共に、前記レバーの表面から常に突出するように付勢されているボタンとを更に備えており、
前記ボタンは、前記制限ブロックの方に向けて凸起するように形成されている制限突起を有しており、
前記制限ブロックには、制限孔が、前記係止アームが前記係止状態と前記解放状態において前記ボタンの前記制限突起の位置にそれぞれ対応して、前記制限突起を受け入れて係止することにより、前記ボタン及び前記レバーの回動と前記係止アームの状態変更を制限することができるように形成されていることを特徴とする請求項２に記載の手押し車。
【請求項４】
前記カートフレームユニットは左右一対のサイドフレームを備えており、
各サイドフレームは第１のロッドと、一端が前記第１のロッドの中段部に取り付けられている第２のロッドと、両端がそれぞれ前記第１のロッドと前記第２のロッドの中段部に取り付けられている第３のロッドと、前記第１のロッドの下端に取り付けられている前輪と、前記第２のロッドの他端に取り付けられている後輪とを有しており、
各サイドフレームには、前記積載ユニットの数に応じて、少なくとも１つの前記第２のコネクタが取り付けられており、
各前記第２のコネクタは、更に前記本体部が固定されている摺動ユニットを有しており、前記摺動ユニットは、内面が前記第１のロッドの周面の一部に当接しているベース部と、一端縁が前記ベース部に固定され、該一端縁の反対側にある他端縁が可動的に構成され、そして前記他端縁の位置に応じて、前記一端縁と前記他端縁の間の部分が、前記ベース部と共に前記第１のロッドの周面を緊密に締めることができる包囲部と、枢接ピンを用いて前記ベース部に枢接されていると共に、前記他端縁と繋がっている連結端と、前記連結端の反対側にある操作端とを有しているスイッチとを有しており、
前記操作端を操作することにより、前記連結端及び前記包囲部の前記他端縁の位置を動かして前記第１のロッドの周面を緊密に締めたり、またはその締めを緩めたりすることが出来、そして前記包囲部の前記第１のロッドの周面に対する締めが緩められると、各前記第２のコネクタ全体は前記第１のロッドに沿って摺動して位置を変えることができることを特徴とする請求項３に記載の手押し車。
【請求項５】
カートフレームユニットと、コネクタ手段により前記カートフレームユニットに取外し可能に連結されている積載ユニットとを有している手押し車であって、
前記積載ユニットには、揺動グリップが、横倒れ位置と垂直位置との間に切り替えることができるように、回動可能に取り付けられており、
更に、前記コネクタ手段は、前記揺動グリップの回動に連動し、前記揺動グリップが前記横倒れ位置に到達すると前記積載ユニットを前記カートフレームユニットに係止し、前記揺動グリップが前記垂直位置に到達すると前記係止を解除することができるように配置構成されていることを特徴とする手押し車。
【考案の詳細な説明】
【技術分野】
【０００１】
本考案は手押し車に関し、特に、積載ユニットがコネクタ手段によりカートフレームユニットに取外し可能に連結されている手押し車に関する。
【背景技術】
【０００２】
図１では手押し車の一例が示されており、該手押し車は、ペットを乗せるものであって、下部にホイール１２が取り付けられているカートフレーム１１と、カートフレーム１１に固定されているペットバッグ１３とを有している。
【０００３】
このような手押し車では積載手段としてのペットバッグ１３はカートフレーム１１に固定されているため、場合によって他の携帯式のペットバッグも必要となり、使用にかなり不便である。
【考案の概要】
【考案が解決しようとする課題】
【０００４】
上記問題点に鑑みて、本考案は、積載ユニットがコネクタ手段によりカートフレームユニットに取外し可能に連結されている手押し車を提供する。
【課題を解決するための手段】
【０００５】
上記目的を達成すべく、本考案は、カートフレームユニットと、コネクタ手段により前記カートフレームユニットに取外し可能に連結されている少なくとも１つの積載ユニットとを有している手押し車であって、前記コネクタ手段は、前記積載ユニットの数に応じて、各積載ユニットに２つずつ固定されている第１のコネクタと、前記積載ユニットの数に応じて、前記カートフレームユニットに少なくとも２つ取り付けられている第２のコネクタとを備えており、各前記第１のコネクタはそれぞれ１つの前記第２のコネクタと分離可能に結合にしており、各前記第１のコネクタは、前記積載ユニットに固定されている固定ユニットと、前記固定ユニットに回動可能に枢接されているレバーと、前記レバーと前記固定ユニットとの枢接位置から突出するように形成されている挿入ユニットとを備えており、前記挿入ユニットには、その先端から前記枢接位置に向いて延伸し、且つ前記レバーの回動に応じて係止状態と解放状態との間に切り替えられることができる係止アームと、該係止アームに形成されている係止突起とが配置構成されており、各前記第２のコネクタには、前記挿入ユニットを受け入れている収容空間と、前記係止アームに形成された前記係止突起を受け入れて係止することができる係止孔とを有する本体部が構成されていることを特徴とする手押し車を提供する。
【０００６】
上記手押し車において、前記レバーには揺動グリップが固定されており、該揺動グリップは前記レバーの前記積載ユニットに対する回動により、横倒れ位置と垂直位置との間に切り替えることができ、前記係止アームは前記レバーと前記揺動グリップの回動に応じて、前記揺動グリップが前記横倒れ位置に到達すると前記係止状態に切り替えられ、そして前記揺動グリップが前記垂直位置に到達すると解放状態に切り替えられるように配置構成されていることが好ましい。
【０００７】
上記手押し車において、前記枢接位置の近くには、前記固定ユニットに固定されている制限ブロックと、前記レバーと共に回動できるように取り付けられていると共に、前記レバーの表面から常に突出するように付勢されているボタンとを更に備えており、前記ボタンは、前記制限ブロックの方に向けて凸起するように形成されている制限突起を有しており、前記制限ブロックには、制限孔が、前記係止アームが前記係止状態と前記解放状態において前記ボタンの前記制限突起の位置にそれぞれ対応して、前記制限突起を受け入れて係止することにより、前記ボタン及び前記レバーの回動と前記係止アームの状態変更を制限することができるように形成されていることが好ましい。
【０００８】
上記手押し車において、前記カートフレームユニットは左右一対のサイドフレームを備えており、各サイドフレームは第１のロッドと、一端が前記第１のロッドの中段部に取り付けられている第２のロッドと、両端がそれぞれ前記第１のロッドと前記第２のロッドの中段部に取り付けられている第３のロッドと、前記第１のロッドの下端に取り付けられている前輪と、前記第２のロッドの他端に取り付けられている後輪とを有しており、各サイドフレームには、前記積載ユニットの数に応じて、少なくとも１つの前記第２のコネクタが取り付けられており、各前記第２のコネクタは、更に前記本体部が固定されている摺動ユニットを有しており、前記摺動ユニットは、内面が前記第１のロッドの周面の一部に当接しているベース部と、一端縁が前記ベース部に固定され、該一端縁の反対側にある他端縁が可動的に構成され、そして前記他端縁の位置に応じて、前記一端縁と前記他端縁の間の部分が、前記ベース部と共に前記第１のロッドの周面を緊密に締めることができる包囲部と、枢接ピンを用いて前記ベース部に枢接されていると共に、前記他端縁と繋がっている連結端と、前記連結端の反対側にある操作端とを有しているスイッチとを有しており、前記操作端を操作することにより、前記連結端及び前記包囲部の前記他端縁の位置を動かして前記第１のロッドの周面を緊密に締めたり、またはその締めを緩めたりすることが出来、そして前記包囲部の前記第１のロッドの周面に対する締めが緩められると、各前記第２のコネクタ全体は前記第１のロッドに沿って摺動して位置を変えることができることが好ましい。
【０００９】
また、本考案は、カートフレームユニットと、コネクタ手段により前記カートフレームユニットに取外し可能に連結されている積載ユニットとを有している手押し車であって、前記積載ユニットには、揺動グリップが、横倒れ位置と垂直位置との間に切り替えることができるように、回動可能に取り付けられており、更に、前記コネクタ手段は、前記揺動グリップの回動に連動し、前記揺動グリップが前記横倒れ位置に到達すると前記積載ユニットを前記カートフレームユニットに係止し、前記揺動グリップが前記垂直位置に到達すると前記係止を解除することができるように配置構成されていることを特徴とする手押し車をも提供する。
【考案の効果】
【００１０】
上記構成により、本考案は積載ユニットがコネクタ手段によりカートフレームユニットに取外し可能に連結されている手押し車を提供し、特に、コネクタ手段を操作する前記レバーを揺動グリップに固定し、あるいは揺動グリップと一体的に構成することによって、揺動グリップを持ち上げやすい位置に揺動すると共にコネクタ手段による係止を解除することができるので、カートフレームユニットから積載ユニットを素早くに取外すことができる手押し車を提供することができる。
【図面の簡単な説明】
【００１１】
【図１】従来の手押し車の一例が示されている側面図である。
【図２】本考案の手押し車の好ましい実施形態の第１の側面図である。
【図３】本考案の手押し車の好ましい実施形態の第２の側面図である。
【図４】第１のコネクタの周辺構成が示されている分解図である。
【図５】第２のコネクタの周辺構成が示されている分解図である。
【図６】第１のコネクタと第２のコネクタが解放状態における構成関係が示されている一部断面図である。
【図７】第１のコネクタと第２のコネクタが係止状態における構成関係が示されている一部断面図である。
【図８】ボタンが制限ブロックにより係止されてレバー及び揺動グリップの回動が制限されている状態における構成関係が示されている一部断面図である。
【図９】本考案の手押し車のカートフレームから積載フレームを取り外した状態の側面図である。
【図１０】本考案における摺動ユニットの構成及び作動方法が示されている断面図である（緩め）。
【図１１】本考案における摺動ユニットの構成及び作動方法が示されている断面図である（締めつけ）。
【考案を実施するための形態】
【００１２】
以下は各図面を参照しながら、本考案の好ましい実施形態について詳しく説明する。
【００１３】
図２及び図３は本考案の手押し車の好ましい実施形態の側面図であり、図示されているように、該手押し車はカートフレームユニット２に上下２つの積載ユニット３が設置されているものである。
【００１４】
カートフレームユニット２は、左右対称の一対のサイドフレーム２０からなっている。しかし、図２は側面図であるため左側のサイドフレーム２０のみが示されている。
【００１５】
各サイドフレーム２０は、第１のロッド２１と、一端が第１のロッド２１の中段部に取り付けられている第２のロッド２２と、両端がそれぞれ第１のロッド２１と第２のロッド２２の中段部に取り付けられている第３のロッド２３と、第１のロッド２１の下端に取り付けられている前輪２４と、第２のロッド２２の他端（下端）に取り付けられている後輪２５と、第１のロッド２１の上端に取り付けられているハンドル２６とを有している。
【００１６】
２つの積載ユニット３は、それぞれフレーム部３０と該フレーム部３０に取り付けられているバスケット部３８と、横倒れ位置（図３参照）と垂直位置（図２参照）との間に切り替えることができるように回動可能に取り付けられている揺動グリップ３１とを備えている。また、この２つの積載ユニット３は、コネクタ手段４によりカートフレームユニット２を構成している２つのサイドフレーム２０に取り外し可能に連結されている。
【００１７】
コネクタ手段４の構成については、図４〜図８を参照しながら説明する。
【００１８】
コネクタ手段４は、各積載ユニット３のフレーム部３０に２つずつ固定されている第１のコネクタ５と、各積載ユニット３の数（この実施形態では２つ）に応じて２つのサイドフレーム２０に一つずつ取り付けられている第２のコネクタ６とを備えている。図示のように、この実施形態では各サイドフレーム２０に上下１つずつの第２のコネクタ６が取り付けられている。各第１のコネクタ５はそれぞれ１つの第２のコネクタ６と分離可能に結合にしている。
【００１９】
図４は第１のコネクタ５の周辺構成が示されている分解図である。
【００２０】
図示されているように、各第１のコネクタ５は、積載ユニット３のフレーム部３０に固定されている固定ユニット５１と、枢接ピン８１により固定ユニット５１に回動可能に枢接されているレバー５２と、レバー５２と固定ユニット５１との枢接位置から下へ突出するように形成されている挿入ユニット５３とを備えている。レバー５２に揺動グリップ３１が固定されており、該揺動グリップ３１はレバー５２及び固定ユニット５１を介して、積載ユニット３におけるフレーム部３０の重心近くに揺動可能に取り付けられている。
【００２１】
挿入ユニット５３には、該挿入ユニット５３の下端から前記枢接位置、即ちレバー５２の方に向いて延伸し、且つ可撓性を有する係止アーム５４と、該係止アーム５４の表面から突出するように形成されている係止突起５５とが形成されている。
【００２２】
更に、レバー５２には揺動グリップ３１側とは反対側へ延伸している操作アーム５２１が形成されており、係止アーム５４の上端部には操作アーム５２１に対応しているカム突起５６が形成されている。図６及び図７に示されているように、揺動グリップ３１が垂直位置に配置される状態において、操作アーム５２１はカム突起５６に当接して可撓性を有する係止アーム５４を湾曲変形させることができ、そして揺動グリップ３１が横倒れ位置に配置される状態において、操作アーム５２１はカム突起５６から離れて係止アーム５４を元の湾曲変形しない位置に戻させることができる。
【００２３】
図５は第２のコネクタ６の周辺構成が示されている分解図である。
【００２４】
図示されているように、各第２のコネクタ６は、本体部６１を有し、該本体６１には挿入ユニット５３を受け入れている収容空間６２と、係止アーム５４に形成された係止突起５５を受け入れて係止することができる係止孔６３とが配置構成されている。
【００２５】
この構成により、本考案における第１と第２のコネクタ５、６は、揺動グリップ３１の揺動状態に対応し、揺動グリップ３１が図６に示されているように、垂直位置に揺動すると、揺動グリップ３１側とは反対側にある操作アーム５２１はカム突起５６に当接して可撓性を有する係止アーム５４を湾曲変形させることによって、係止アーム５４に形成されている係止突起５５を第２のコネクタ６の係止孔６３から退去させて第１と第２のコネクタ５、６を互いに係止しない解放状態に切り替えることができ、一方、揺動グリップ３１が図７に示されているように、横倒れ位置に揺動すると、操作アーム５２１はカム突起５６から離れて係止アーム５４を元の位置に戻させることによって、係止アーム５４に形成されている係止突起５５は第２のコネクタ６の係止孔６３に嵌まり第１のコネクタ５を第２のコネクタ６に係止する係止状態に切り替えることができる。つまり、第１と第２のコネクタ５、６との係止または解放状態は、レバー５２及び揺動グリップ３１の回動によって制御されうる。
【００２６】
更に、本考案手押し車の好ましい実施形態において、レバー５２の枢接位置の下方には、固定ユニット５１に固定されている制限ブロック５７と、レバー５２と共に回動できるように取り付けられていると共に、レバー５２の枢接位置の上方の表面から常に突出するように、ばね３９２により付勢されているボタン３９とを更に備えている。
【００２７】
ボタン３９は、制限ブロック５７の方に向いて凸起するように形成されている制限突起３９６を有しており、制限ブロック５７の上端部には、３つの制限孔５７２が形成されている。この３つの制限孔５７２の位置は、それぞれ係止アーム５４が係止状態と解放状態においてボタン３９の制限突起３９６の位置にそれぞれ対応して、例えば図８に示されているように、該制限突起３９６を受け入れて係止することにより、ボタン３９及びレバー５２の回動と係止アーム５４の状態変更を制限することができる。
【００２８】
上記構成により、本考案の手押し車が図３に示されている積載状態におかれている場合、各積載ユニット３の揺動グリップ３１は横倒れ位置にあって、第１のコネクタ５における係止突起５５は第２のコネクタ６の係止孔６３に嵌め込んでいるので、第１のコネクタ５は第２のコネクタ６に係止されて第２のコネクタ６から分離することが出来ず、各積載ユニット３はカートフレーム２に固定されている。
【００２９】
図３に示されている積載状態において、ボタン３９を押してレバー５２の回動を可能にしてから揺動グリップ３１を持ち上げて図２に示されている状態にすると、第１のコネクタ５における係止突起５５は操作アーム５２１が図６に示されているようにカム突起５６に当接することによって、係止突起５５を第２のコネクタ６の係止孔６３から退去させて第１と第２のコネクタ５、６を互いに係止しない解放状態に切り替えることができる。
【００３０】
そして、図２に示されている状態になっている場合、第１と第２のコネクタ５、６は互いに係止しない解放状態になっているので、図９に示されているように各積載ユニット３を簡単にカートフレーム２から取り外すことができる。
【００３１】
即ち、図３に示されている積載状態から積載ユニット３をカートフレーム２から取り外すため、使用者が取るべき操作はボタン３９を押すことと、揺動グリップ３１を持ち上げやすい垂直位置に回してから持ち上げることだけであり、積載ユニット３をカートフレーム２から取り外す操作は非常に簡単且つ直感的に素早く行うことができる。
【００３２】
また、積載ユニット３をカートフレームユニット２に固定することも簡単であり、ただ積載ユニット３に取り付けられている第１のコネクタ５の挿入ユニット５３をそれぞれ第２のコネクタ６の収容空間６２に挿しこむようにカートフレームユニット２に設置してから、ボタン３９を押して揺動グリップ３１を図３に示されている横倒れ位置に回すだけであり、同じく簡単且つ直感的に素早く行うことができる。
【００３３】
更に、各第２のコネクタ６は、図２、図５、図１０、図１１に示されているように、本体部６１を各サイドフレーム２０の第１のロッド２１に固定するための摺動ユニット７を有している。
【００３４】
摺動ユニット７は、上端部が固定ピン８４によって本体部６１の下端部に固定されている接続部７１と、ベース部７４と、接続部７１の下端部に固定されていると共に、一端縁７２５がベース部７４に固定され、該一端縁７２５の反対側にある他端縁７２４が可動的に構成されている包囲部７２と、枢接ピン８３でベース部７４の枢接端７４２に枢接されていると共に、枢接ピン８２で包囲部７２の他端縁７２４と回動可能に繋がっている連結端７３２及び該連結端７３２の反対側にある操作端７３１を有しているスイッチ７３とを備えている。
【００３５】
ベース部７４はその内面（図１０、１１における上面）で第１のロッド２１の周面の一部に下から当接し、そして包囲部７２は一端縁７２５と他端縁７２４との間の表面でベース部７４と共に第１のロッド２１の周面を緊密に締めることができる。更に、図１０及び図１１に示されているように、スイッチ７３の操作端７３１を操作することにより、連結端７３２及び包囲部７２の他端縁７２４の位置を動かして第１のロッド２１の周面を緊密に締めたり（図１１参照）、またはその締めを緩めたり（図１０参照）することが出来る。
【００３６】
この構成により、包囲部７２を図１０に示されているように第１のロッド２１の周面に対する締めが緩められると、各第２のコネクタ６全体は第１のロッド２１に沿って摺動して位置を変えることができる。
【産業上の利用可能性】
【００３７】
上記構成により、本考案は積載ユニットがコネクタ手段によりカートフレームユニットに取外し可能に連結されている手押し車を提供し、特に、コネクタ手段を操作する前記レバーを揺動グリップに固定、あるいは揺動グリップと一体的に構成することによって、揺動グリップを持ち上げやすい位置に揺動すると共にコネクタ手段による係止を解除することができ、カートフレームユニットから積載ユニットを素早くに取外すことができる手押し車を提供できるので、積載ユニットを取り外す必要のある各種類の手押し車に適用することができる。
【符号の説明】
【００３８】
２  カートフレームユニット
２０  サイドフレーム
２１  第１のロッド
２２  第２のロッド
２３  第３のロッド
２４  前輪
２５  後輪
２６  ハンドル
３  積載ユニット
３０  フレーム部
３１  揺動グリップ
３８  バスケット部
３９  ボタン
３９２  ばね
３９６  制限突起
４  コネクタ手段
５  第１のコネクタ
５１  固定ユニット
５２  レバー
５２１  操作アーム
５３  挿入ユニット
５４  係止アーム
５５  係止突起
５６  カム突起
５７  制限ブロック
５７２  制限孔
６  第２のコネクタ
６１  本体部
６２  収容空間
６３  係止孔
７  摺動ユニット
７１  接続部
７２  包囲部
７２４  他端縁
７２５  一端縁
７３  スイッチ
７３１  操作端
７３２  連結端
７４  ベース部
７４２  枢接端
８１  枢接ピン
８２  枢接ピン
８３  枢接ピン
８４  固定ピン
【図１】
0003167740.tif 000003
【図２】
0003167740.tif 000004
【図３】
0003167740.tif 000005
【図４】
0003167740.tif 000006
【図５】
0003167740.tif 000007
【図６】
0003167740.tif 000008
【図７】
0003167740.tif 000009
【図８】
0003167740.tif 000010
【図９】
0003167740.tif 000011
【図１０】
0003167740.tif 000012
【図１１】
0003167740.tif 000013